(57)【特許請求の範囲】
【請求項１】
係止爪を有するロックアームを本体に回動自在に支持すると共に前記係止爪が操作パネルの被係止部を係止する方向に前記ロックアームをばねで付勢し、付勢された押出し棒の付勢力に抗して前記操作パネルを押し込んだ状態で前記係止爪で操作パネルを係止させ、前記ロックアームを前記ばねの弾力に抗して回動させることにより操作パネルの係止を解除して前記押出し棒で前記操作パネルを押出させる操作パネルの着脱機構において、前記操作パネルを押し込むときに前記押出し棒に設けた突起を前記ロックアームに設けたカムと当接させ前記ロックアームを前記ばねの弾力に抗して回動させてロックアームの係止爪が前記操作パネルの前記被係止部と定位置にて係止するまでは係止爪が操作パネルに接触しないように構成した操作パネルの着脱機構。
【請求項２】
前記操作パネルの一端を前記係止爪に係止させ、前記操作パネルの他端と本体の夫々に設けた凸部と凹部とを回動自在に係止させた請求項１の操作パネルの着脱機構。
【発明の詳細な説明】
【０００１】
【発明の属する技術分野】
この発明は操作パネルの着脱機構に係わり、特に、車載用電子機器に好適な操作パネルの着脱機構に関する。
【０００２】
【従来の技術】
従来、車載用音響機器等の操作パネルは盗難を防止するために着脱自在とするものがあった。そのような従来の操作パネルの着脱機構の例を図４〜図７により説明する。図４〜図７に示す操作パネル１はその一端に設けられた凸部が本体に回動自在に係止され、他端に設けられた凹み１ａがロックアーム５の係止爪５ａに係止された状態で本体に装着される。
【０００３】
図４（ａ）、（ｂ）および図５（ａ）に示すロックアーム５は図示していない本体に固定された軸４に回動自在に支持され、図示していないばねにより反時計方向に付勢されている。
【０００４】
軸４を挿通させた押出し棒６は図４（ａ）におけるＰ（押出し）方向および図４（ｂ）におけるＱ（押込み）方向に移動自在に支持されており、図示していないばねによりＰ（押出し）方向に付勢されている。
【０００５】
操作パネル１の一端を本体に係止させた状態で、図４（ａ）におけるＰ方向の付勢力に抗して押出し棒６を押込むと、図４（ｂ）に示すように押出し棒６をＱ方向に移動させ、操作パネル１の先端がロックアーム５の係止爪５ａの傾斜面を押すようになる。
【０００６】
係止爪５ａの傾斜面が押されるとロックアーム５はばねの弾力に抗して時計方向に回動して操作パネル１の先端を通過させる。操作パネル１の裏面と凹み１ａの側面の間の突出部が通過すると、ロックアーム５はばねの弾力により回動して図５（ａ）に示すようにロックアーム５の係止爪５ａが操作パネル１の凹み１ａを係止した状態となり操作パネル１が本体に装着される。操作パネル１を本体から外す場合は、図示していない解除機構によりロックアーム５を図７に示すように、時計方向に回動させると、操作パネル１は押出し棒６によりＰ方向に押出される。
【０００７】
【発明が解決しようとする課題】
上記した従来の操作パネルの着脱機構では、操作パネル１をロックアーム５の係止爪５ａに係止させるように押込むとき操作パネル１が係止爪５ａと接触する前では押出し棒６のみと接触しており、ロックアーム５の係止爪５ａの傾斜面を押すようになると操作パネル１を押す負荷が大きく変わり、押込み動作途中に違和感を生じることがあった。
【０００８】
ロックアーム５の付勢力を小さくすれば、操作パネル１を押込むときの負荷の変動が小さくなるが、ロックアーム５は図５（ｂ）に示す操作パネル１との接点Ｍでの摩擦力に抗して回動させる必要があり、付勢力を小さくすることはできない。
【０００９】
このようにロックアーム５に大きい付勢力を加えるため、例えば、図６に示すように操作パネル１を角度αだけ傾けて押込むときにはロックアーム５の係止爪５ａが常時操作パネル１に強い力で押しつけられており、押込み動作を中断しても操作パネル１は係止爪５との摩擦力で保持され、未ロック状態で使用されことがあった。このような場合は意図しないときに操作パネルが解放されこともあり得る。
【００１０】
この発明は上記した点に鑑みてなされたものであって、その目的とするところは、操作がスムーズであり、ロックが確実に行われる操作パネルの着脱機構を提供することにある。
【００１１】
【課題を解決するための手段】
この発明の操作パネルの着脱機構は、係止爪を有するロックアームを本体に回動自在に支持すると共に前記係止爪が操作パネルの被係止部を係止する方向に前記ロックアームをばねで付勢し、付勢された押出し棒の付勢力に抗して前記操作パネルを押し込んだ状態で前記係止爪で操作パネルを係止させ、前記ロックアームを前記ばねの弾力に抗して回動させることにより操作パネルの係止を解除して前記押出し棒で前記操作パネルを押出させる操作パネルの着脱機構において、前記操作パネルを押し込むときに前記押出し棒に設けた突起を前記ロックアームに設けたカムと当接させ前記ロックアームを前記ばねの弾力に抗して回動させてロックアームの係止爪が前記操作パネルの前記被係止部と定位置にて係止するまでは係止爪が操作パネルに接触しないように構成したものである。
【００１２】
また、前記操作パネルの着脱機構において、前記操作パネルの一端を前記係止爪に係止させ、前記操作パネルの他端と本体の夫々に設けた凸部と凹部とを回動自在に係止させたものである。
【００１３】
【発明の実施の形態】
この発明の実施例である操作パネルの着脱機構を図面に基づいて説明する。図１および図２はこの発明の実施例である操作パネルの着脱機構を示す側面図である。
【００１４】
図に示す操作パネル１はその一端に設けられた凸部が本体に回動自在に係止され、他端に設けられた凹み１ａがロックアーム２の係止爪２ａに係止された状態で本体に装着される。
【００１５】
ロックアーム２は図示していない本体に固定された軸４に回動自在に支持され、図示していないばねにより反時計方向に付勢されている。軸４を挿通させた押出し棒３は図１（ａ）におけるＱ（押込み）方向および図１（ｂ）におけるＰ（押出し）方向に移動自在に支持されており、図示していないばねによりＰ（押出し）方向に付勢されている。
【００１６】
押出し棒３には突起３ａが形成されており、ロックアーム２には突起３ａと当接するカム２ｂが形成されている。操作パネル１の一端を本体に係止させた状態で、押出し棒３を図１（ａ）に示すＱ方向に押込むと、図１（ｂ）に示すように押出し棒３の突起３ａがロックアーム２のカム２ｂを押してロックアーム２を時計方向に回動させ操作パネル１が係止爪２ａと距離Ｃだけ離れるようになり、操作パネル１はロックアーム２と無接触状態で押込まれる。
【００１７】
突起３ａがロックアーム２のカム２ｂの山を乗り越えると、ロックアーム２は反時計方向に回動するが係止爪２ａの先端は操作パネル１の凹み１ａの角を図２に示す距離Ｅだけ離れた位置を通過し、係止爪２ａが操作パネル１の凹み１ａを定位置にロックするまでは係止爪２ａは操作パネル１に接触しない。
【００１８】
操作パネル１を本体から外す場合は、図示していない解除機構によりロックアーム２を図２に示すように時計方向に回動させると、係止爪２ａが操作パネル１の凹み１ａから離れ、さらにロックアーム２のカム２ｂが押出し棒３の突起３ａから離れ押出し棒３が操作パネル１を図１（ｂ）におけるＰ方向に押出すようになる。このように操作パネル１の一端のロックを解除し、他端の凸部の係合を外して操作パネル１を本体から取り外すことができる。
【００１９】
このように、操作パネル１を押込むとき操作パネル１と係止爪２ａとの接触によりロックアーム２を回動させるのではないので操作パネル１を押込むときの負荷が急に変わるような違和感が生じることがない。
【００２０】
また、係止爪２ａが操作パネル１の凹み１ａを定位置にロックするまでは係止爪２ａは操作パネル１に接触しないのでロックアーム２の係止爪２ａが操作パネル１に押しつけられて、押込み動作を中断しても操作パネル１が係止爪２ａとの摩擦力で保持され未ロック状態で使用されることがなくなる。
【００２１】
さらに、ばねで付勢されたロックアーム２の付勢トルクをＭとし、図３に示すロックアーム２の回動中心からカム２ｂの作用点までの距離をｘ1 とし、係止爪２ａの作用点までの距離をｘ2 とすると、従来のものはロックアームが回動するために外力に作用する力はＭ／ｘ2 ＝Ｆ2 であるのに対して実施例のものはＭ／ｘ1 ＝Ｆ1 であり、Ｆ1 ＞Ｆ2 となり従来のものより大きい力で外力に対抗してロック方向に回動することになる。
【００２２】
【発明の効果】
この発明の操作パネルの着脱機構によれば、操作パネルを押込むとき操作パネルと係止爪との接触によりロックアームを回動させるのではないので操作パネルを押込むときの負荷が急に変わるような違和感が生じることがない。
【００２３】
また、ロックアームの係止爪が操作パネルの凹みを定位置にロックするまでは係止爪は操作パネルに接触しないのでロックアームの係止爪が操作パネルに押しつけられて、押込み動作を中断しても操作パネルが係止爪との摩擦力で保持された未ロック状態で使用されることがなくなる。
【００２４】
さらに、ロックアームは従来のものより大きい力で外力に対抗してロック方向に回動するので操作パネルを確実にロックする。
【図面の簡単な説明】
【図１】この発明の実施例である操作パネルの着脱機構を示す側面図である。
【図２】同操作パネルの着脱機構の他の状態を示す側面図である。
【図３】同操作パネルの着脱機構の作用を説明するための寸法を示す部材の側面図である。
【図４】従来の操作パネルの着脱機構の例を示す側面図である。
【図５】図５（ａ）は同操作パネルの着脱機構の他の状態を示す側面図、図５（ｂ）は同操作パネルの着脱機構の他の状態を示す部分側面図である。
【図６】同操作パネルの着脱機構の他の状態を示す正面図である。
【図７】同操作パネルの着脱機構の他の状態を示す側面図である。
【符号の説明】
１  操作パネル、１ａ  凹み
２  ロックアーム、２ａ  係止爪、２ｂ  カム
３  押出し棒、３ａ  突起
４  軸
５  ロックアーム、５ａ  係止爪
６  押出し棒
【図１】
0003746190.tif 000002
【図２】
0003746190.tif 000003
【図３】
0003746190.tif 000004
【図４】
0003746190.tif 000005
【図５】
0003746190.tif 000006
【図６】
0003746190.tif 000007
【図７】
0003746190.tif 000008